(57)【特許請求の範囲】
【請求項１】
壁芯に沿った天井と床面にそれぞれ固定した上レ−ルと下レ−ル間に複数の下地パネルを立設し、前記下地パネルの壁面を壁芯に沿って外方向の片側に平行に繋がるようにし、隣接する前記下地パネル同士が凸型と凹型で連結しながら間仕切り下地を形成し、前記下地パネルの断面形状は、板状の鋼板をコ字形状で、内向きに折り曲げリップを付けた形状を、さらに、コ字フランジ部の一方に凸型を、フランジ部の片方を凹型に折曲形成したものであり、前記下地パネルの壁面にボ−ドをビスで保持することを特徴とする間仕切り壁構造。
【請求項２】
前記下地パネルの壁面が壁芯に沿って外方向の両側に平行に繋がり、隣接する前記下地パネル同士が凸型と凹型で連結しながら間仕切り下地を形成することを特徴とする請求項１記載の間仕切り壁構造。
【請求項３】
壁芯に沿った天井と床面にそれぞれ固定した上レ−ルと下レ−ル間に複数の下地パネルを立設し、前記下地パネルの壁面をパネル壁芯に沿って両外側方向に千鳥に配置し、隣接する前記下地パネル同士が凸型と凹型で連結しながら間仕切り下地を形成し、前記下地パネルの断面形状は、板状の鋼板をコ字形状で、内向きに折り曲げリップを付けた形状を、さらに、コ字フランジ部の一方に凸型を、フランジ部の片方を凹型に折曲形成したものであり、前記下地パネルの壁面にボ−ドをビスで保持することを特徴とする間仕切り壁構造。
【発明の詳細な説明】
【技術分野】
【０００１】
本発明は、構築物、特に建物の内壁における防犯性、高剛性、防耐火性、遮音性および工期短縮に有用である下地パネルと、下地パネルを使用する間仕切り壁構造に関するものである。
【背景技術】
【０００２】
従来、建築物の間仕切り壁の場合には、図１４に概略示す方法で行われている。即ち、建物内部の天井及び床部に、断面コの字型のランナを設置し、上ランナ１０，下ランナ１１の間での所定の位置に断面Ｃ字型の間柱（スタッド１２）を立設し、前記スタッド１２の面に、ボ−ド４をビスで固定し、かかる軸組構造の間仕切り壁として、長年に亘って建築物等に広く用いられてきた。
【０００３】
一方、近年における建築物の高層化、超高層化になるにつれて、住空間を拡大するために壁厚を薄くして、軽量であることが望まれ、防火性、遮音性、変形追随性、面外曲げ剛性、および硬度のある間仕切り壁が開示されている（例えば、特許文献１参照）。
【０００４】
他方、近年凶悪犯罪が多数発生し、防犯の強化が望まれていて、堅牢性のある間仕切り開発が喫緊の課題であり、一般に、例えば、軸組構造間仕切り壁において、図１５に示すセキュリティ工法として、スタッド１２とボ−ドの間に鋼板１４を挿入した工法が提案されている。
【特許文献１】特開平８−７４３５８号公報
【発明の開示】
【発明が解決しようとする課題】
【０００５】
しかしながら、従来の図１４の軸組構造工法おいては、上下ランナにＣ型スタッド１２を立設した後、スペ−サ１３及び振れ止めの取扱いが煩雑であるため施工効率を阻害する難点があり、また、前記特許文献１に係わる工法では、壁面がボ−ド４で衝撃に弱く、さらに、一般的な図１５のセキュリティ工法は衝撃に強いもの、鋼板１４を取り付けるためには新たに工数が掛かり、工程及び経済性等に問題があった。
本発明の解決すべき課題は、衝撃に強い堅牢性のある間仕切りにし、さらに、壁厚を極小化し、防耐火性、遮音性、変形追随性、面外曲げ剛性も確保できるとともに、施工性の良い間仕切り壁構造を提供するものである。
【課題を解決するための手段】
【０００６】
上記課題を解決するための本発明に係わる間仕切り壁構造は、壁芯に沿った天井と床面にそれぞれ固定した上レ−ルと下レ−ル間に複数の下地パネルを立設し、前記下地パネルの壁面を壁芯に沿って外方向の片側に平行に繋がるようにし、隣接する前記下地パネル同士が凸型と凹型で連結しながら間仕切り下地を形成し、前記下地パネルの断面形状は、板状の鋼板をコ字形状で、内向きに折り曲げリップを付けた形状を、さらに、コ字フランジ部の一方に凸型を、フランジ部の片方を凹型に折曲形成したものであり、前記下地パネルの壁面にボ−ドをビス等で保持することを特徴とする。  
上記において、前記下地パネルの壁面が壁芯に沿って外方向の両側に平行に繋がり、隣接する前記下地パネル同士が凸型と凹型で連結しながら間仕切り下地を形成する上記に記載の間仕切り壁構造。
また、壁芯に沿った天井と床面にそれぞれ固定した上レ−ルと下レ−ル間に複数の下地パネルを立設し、前記下地パネルの壁面をパネル壁芯に沿って両外側方向に千鳥に配置し、隣接する前記下地パネル同士が凸型と凹型で連結しながら間仕切り下地を形成し、前記下地パネルの断面形状は、板状の鋼板をコ字形状で、内向きに折り曲げリップを付けた形状を、さらに、コ字フランジ部の一方に凸型を、フランジ部の片方を凹型に折曲形成したものであり、前記下地パネルの壁面にボ−ドをビス等で保持することを特徴とする。
【発明の効果】
【０００７】
（Ａ）本発明に係わる間仕切り壁構造によれば、下地パネル全面が鋼板で覆われている構造である。したがって、衝撃に強く堅牢性に優れ、かつ遮音性能が高い。
【０００８】
（Ｂ）本発明に係わる下地パネルは、面外剛性（間仕切り壁の壁面に対する垂直方向の荷重に対する剛性）が高い構造である。したがって、間仕切り壁を薄くすることができる。
【０００９】
（Ｃ）本発明に係わる間仕切り壁構造によれば、上レ−ルと下レ−ルの間に下地パネルのみを立設する工法である。したがって、従来技術に係わる軸組構造工法と異なり、スペ−サ、振れ止めと取扱いの煩雑さが無くなり取付作業が極めて容易である。
【００１０】
（Ｄ）すなわち、本発明特有の下地パネルを採用する本発明に係わる間仕切り壁構造によれば、防犯性に優れ、静かな室内空間を確保し、防耐火構造を備え、かつ住空間の拡大を提供することができる。
【発明を実施するための最良の形態】
【００１１】
以下、図１〜図１７に基づいて、本発明を実施するための最良の形態を説明する。
図１は本発明に係わる間仕切り壁用の下地パネルの一例を示す模式図、図２は図１のＡ−Ａ断面図である。図１〜図２に示すように下地パネル用として使用される本発明に係わる下地パネル１は壁面となる１Ｃと、下地パネルのジョイントとなる第１の接合面１Ａ、第２の接合面１Ｂ、およびリップ１Ｄから構成される。
【００１２】
更に詳しく本発明に係わる間仕切り壁用の下地パネルを構成する各部分を図１〜図２に基づいて説明する。前記下地パネル１は、鋼板の長辺両方向端部を内向きに折曲形成して作成し、壁面１Ｃの両側に背面側へ第１の接合面１Ａ、および第２の接合面１Ｂを直角に折曲形成する。その際図１〜図２に示すように第１の接合面１Ａ、および第２の接合面１Ｂに半円形状の加工を施し、次いで、第１の接合面１Ａ、および第２の接合面１Ｂの端縁を内方へ折曲し、その内縁を断面Ｕ字状に折り返しリップ１Ｄを形成した構造にする。なお、図１〜図２には、第１の接合面１Ａ、および第２の接合面１Ｂの形状として半円形状のものを代表として示したが、本発明ではこれに限ることなく、満足すべき曲げ荷重対応強度が発揮できるものであれば、いかなる形状のものであっても適用可能であれば構わない。例えば、半楕円、歪んだ半円形、三角形、四角形、台形、弓形等を挙げることができる。仮に、面外剛性（間仕切り壁の壁面に対する垂直方向の荷重に対する剛性）および、遮音性等を要求されない場合は、前記の形状でなくても構わないし、同様に、リップ１Ｄをつけなくても構わない。下地パネル１の材質としては、溶融亜鉛めっき鋼板、溶融５５％アルミニウム−亜鉛合金めっき鋼板及びステンレス鋼等の金属材料で、０．４〜０．８ｍｍ程度の厚みが望ましい。
【００１３】
[本発明に係わる間仕切り壁構造で採用する下地パネル配設の第１の実施例]
図３は、下地パネル１を連続して組み立てを行う場合において、下地パネル１における壁面１Ｃの方向を壁芯に沿って外方向の片側に平行に配置する、第１の実施例を示す斜視図であり、この例においては下地パネル１、壁面１Ｃ、上レ−ル２、下レ−ル３、ボ−ド材４、および遮音材５とから構成される。
【００１４】
図４は、間仕切り壁構造の施工例を示す模倣図であり、施工した下地パネル１を含む断面を上方から見た図であり、同じく、図５は間仕切り壁構造の施工例を示す模倣図であり、施工した下地パネル１を含む断面を右方から見た図である。この例においてはコンクリ−ト釘８によって建築物の躯体上スラブ６の下に、上レ−ル２の開口部の向きを下に、躯体下スラブ７の上に、下レ−ル３の開口部の向きを上にして固定されている、前記上下レ−ル２、３間に、垂直に複数の下地パネル１を、図４に示すように壁芯９沿って壁面１Ｃの方向を外方向の片側に平行に配置し、前記下地パネル１の壁面１Ｃが繋がるように、前記パネル１の接合面１Ａと前記パネル１の接合面１Ｂとを噛み合わせ設置し、前記上下レ−ル２，３と前記パネル下地１をタッピングねじで固定している。
【００１５】
次いで、遮音材５を前記下地パネル１の壁面１Ｃ側に挿入し、図３に示すように、前記下地パネル１の壁面１Ｃの外方向に、ボ−ド材４を横向きにしてタッピングねじで固定し、さらに、前記ボ−ド材４の外側にボ−ド材４を縦向きにしてステ−ブルと糊で取り付けて間仕切り壁構造を構築している。
【００１６】
[本発明に係わる間仕切り壁構造で採用する下地パネル配設の第２の実施例]
次に、下地パネル１を連続して組み立てを行う場合の第２の実施例を説明する。図６は、下地パネル１における壁面１Ｃの方向を壁芯に沿って外方向の両側に平行に配置する、第２の実施例を示す斜視図であり、この例においては下地パネル１、壁面１Ｃ、上レ−ル２、下レ−ル３、ボ−ド材４、および遮音材５とから構成される。
【００１７】
図７は、間仕切り壁構造の施工例を示す模倣図であり、施工した下地パネル１を含む断面を上方から見た図であり、同じく、図８〜図９も間仕切り壁構造の施工例を示す模倣図であり、図８は、施工した下地パネル１を含む断面を図７のＡ−Ａ断面を右方から見た図であり、図９は、施工した下地パネル１を含む断面を図７のＢ−Ｂ断面を右方から見た図である。この例においてはコンクリ−ト釘８によって建築物の躯体上スラブ６の下に、上レ−ル２の開口部の向きを下に、躯体下スラブ７の上に、下レ−ル３の開口部の向きを上にして固定されている、前記上下レ−ル２、３間に、垂直に複数の下地パネル１を、図７に示すように壁芯９沿って壁面１Ｃを外方向の両側に平行に配置をし、前記下地パネル１の壁面１Ｃが繋がるように、前記パネル１の接合面１Ａと前記パネル１の接合面１Ｂとを噛み合わせ設置し、前記上下レ−ル２，３と前記パネル下地１をタッピングねじで固定している。
【００１８】
次いで、遮音材５を前記下地パネル１の壁面１Ｃ側に挿入し、図６に示すように、前記下地パネル１の壁面１Ｃの外方向両側に、ボ−ド材４を横向きにしてタッピングねじで固定し、さらに、前記ボ−ド材４の外側にボ−ド材４を縦向きにしてステ−ブルと糊で取り付けて間仕切り壁構造を構築している。
【００１９】
[本発明に係わる間仕切り壁構造で採用する下地パネル配設の第３の実施例]
次に、下地パネル１を連続して組み立てを行う場合の第３の実施例を説明する。図１０は、下地パネル１における壁面１Ｃの方向を壁芯に沿って両外側方向に千鳥に配置する、第３の実施例を示す斜視図であり、この例においては下地パネル１、壁面１Ｃ、上レ−ル２、下レ−ル３、ボ−ド材４、および遮音材５とから構成される。
【００２０】
図１１は、間仕切り壁構造の施工例を示す模倣図であり、施工した下地パネル１を含む断面を上方から見た図であり、同じく、図１２〜図１３も間仕切り壁構造の施工例を示す模倣図であり、図１２は、施工した下地パネル１を含む断面を図１１のＡ−Ａ断面を右方から見た図であり、図１３は、施工した下地パネル１を含む断面を図１１のＢ−Ｂ断面を右方から見た図である。この例においてはコンクリ−ト釘８によって建築物の躯体上スラブ６の下に、上レ−ル２の開口部の向きを下に、躯体下スラブ７の上に、下レ−ル３の開口部の向きを上にして固定されている、前記上下レ−ル２，３間に、垂直に複数の下地パネル１を、図１１に示すように壁面１Ｃの方向を壁芯９沿って両外側方向に千鳥に配置をし、前記下地パネル１の壁面１Ｃが上から見て交互になるようにし、前記パネル１の接合面１Ａと前記パネル１の接合面１Ｂが噛み合い結合できるよう設置をし、前記上下レ−ル２，３と前記パネル下地１をタッピングねじで固定している。
【００２１】
次いで、遮音材５を前記下地パネル１の壁面１Ｃ側に挿入し、図１０に示すように、前記下地パネル１の壁面１Ｃの外方向両側に、ボ−ド材４を横向きにしてタッピングねじで固定し、さらに、前記ボ−ド材４の外側にボ−ド材４を縦向きにしてステ−ブルと糊で取り付けて間仕切り壁構造を構築している。
【００２２】
遮音材５の挿入に関しては特に限定されるものではなく、必要に応じて仕様を決めても構わない。例えば、グラスウ−ルおよびロックウ−ル等で密度や厚さを換えたり、遮音を要求されない場合は、遮音材５を挿入しなくても構わない。また、ボ−ド４に関しては、せっこうボ−ドとけい酸カルシウム板が一般的であるが特に限定はしていない。
【００２３】
以上説明したように本発明に係わる間仕切り壁構造は、設計条件の要求に対して下地パネル組みのバリエ−ションによる対応が可能であり、具体的には壁厚を薄くしたり、遮音性を高めたり、防犯性を高めたり、そして現場での施工性が優れている構造である。
【図面の簡単な説明】
【００２４】
【図１】本発明に係わる間仕切り壁構造において使用する下地パネルの一例を示す模式図である。
【図２】図１のＡ−Ａ断面図である。
【図３】下地パネル配設の第１の実施例を示す斜視図である。
【図４】第１の実施例の施工例を示す模式図であり、下地パネル上方から見た断面図である。
【図５】第１の実施例の施工例を示す模式図であり、下地パネル右方から見た断面図である。
【図６】下地パネル配設の第２の実施例を示す斜視図である。
【図７】第２の実施例の施工例を示す模式図であり、下地パネル上方から見た断面図である。
【図８】第２の実施例の施工例を示す模式図であり、下地パネル右方から見たＡ−Ａ断面図である。
【図９】第２の実施例の施工例を示す模式図であり、下地パネル右方から見たＢ−Ｂ断面図である。
【図１０】下地パネル配設の第３の実施例を示す斜視図である。
【図１１】第３の実施例の施工例を示す模式図であり、下地パネル上方から見た断面図である。
【図１２】第３の実施例の施工例を示す模式図であり、下地パネル右方から見たＡ−Ａ断面図である。
【図１３】第３の実施例の施工例を示す模式図であり、下地パネル右方から見たＢ−Ｂ断面図である。
【図１４】従来技術に係わる軸組構造の間仕切り壁工法を示す縦断面図である。
【図１５】従来技術に係わる軸組構造の間仕切り壁工法を示す横断面図である。
【図１６】従来技術に係わる軸組構造の間仕切り壁工法でのセキュリティ工法を示す縦断面図である。
【図１７】従来技術に係わる軸組構造の間仕切り壁工法でのセキュリティ工法を示す横断面図である。
【符号の説明】
【００２５】
１    下地パネル                  １Ａ    第１の接合面
１Ｂ  第２の接合面      １Ｃ    壁面
２    上レ−ル                    ３      下レ−ル
４    ボ−ド                      ５      遮音材
６    上スラブ                    ７      下スラブ
８    コンクリ−ト釘              ９      壁芯
１０  上ランナ                    １１    下ランナ
１２  スタッド                    １３    スペ−サ
１４  鋼板
【要約】
【課題】防耐火構造を備えていて防犯性に優れた、そして、静かな室内空間を確保し住空間の拡大が図れる、施工性の良い間仕切り壁構造を提供すること。
【解決手段】壁芯に沿った天井と床面にそれぞれ固定した上レ−ル２と下レ−ル３間に複数の下地パネル１を立設し、前記下地パネルの壁面１Ｃを壁芯９に沿って外方向の片側に平行に繋がるようにし、隣接する前記下地パネル同士が凸型と凹型で連結しながら間仕切り下地を形成し、前記下地パネルの断面形状は、板状の鋼板をコ字形状で、内向きに折り曲げリップを付けた形状を、さらに、コ字フランジ部の一方に凸型を、フランジ部の片方を凹型に折曲形成したものであり、前記下地パネルの壁面１Ｃにボ−ド４ビスで固定する間仕切り構造。
【選択図】図３【図１】
0004246251.tif 000002
【図２】
0004246251.tif 000003
【図３】
0004246251.tif 000004
【図４】
0004246251.tif 000005
【図５】
0004246251.tif 000006
【図６】
0004246251.tif 000007
【図７】
0004246251.tif 000008
【図８】
0004246251.tif 000009
【図９】
0004246251.tif 000010
【図１０】
0004246251.tif 000011
【図１１】
0004246251.tif 000012
【図１２】
0004246251.tif 000013
【図１３】
0004246251.tif 000014
【図１４】
0004246251.tif 000015
【図１５】
0004246251.tif 000016
【図１６】
0004246251.tif 000017
【図１７】
0004246251.tif 000018